(57)【要約】【課題】熱交換器底部のフィンとフィンの間に凝縮水が溜まり易くなるために、フィンと空気との熱交換量が他の箇所に比べて少なくなり、蒸発能力が減少することを防止する。【解決手段】空気の流れ方向に流れ方向に分割した上部側のフィン１２ａと、下部側のフィン１２ｂと、それぞれのフィンに直交するように貫通させた伝熱管１３を備え、フィン１２ｂのフィン間隔とフィン幅をフィン１２ａより大きくしたことにより、フィン１２ｂ部に保持される凝縮水量が低減できるのでフィン１２ｂと空気との熱交換量がアップするため蒸発能力向上が可能となる。【選択図】図１
2005201466.tif 000002
【特許請求の範囲】
【請求項１】
互いに間隔を設けて積層し、外部流体の流れ方向に１列以上並べたフィンと、前記フィンを直交するように貫通させた伝熱管と、前記フィンを外部流体の流れ方向に分割し、下部側の前記フィン間隔と前記フィン幅を上部より大きくしたことを特徴とする熱交換器。
【請求項２】
外部流体の流れ方向に分割した前記フィンの間に排水手段を設けたことを特徴とする請求項１記載の熱交換器。
【発明の詳細な説明】
【技術分野】
【０００１】
本発明は空気調和機等にもちいられ、冷媒と空気のような流体間で熱交換を行わせるフィン＆チューブ型等の熱交換器に関するものである。
【背景技術】
【０００２】
従来、この種の熱交換器は１枚のフィンに伝熱管を貫通させることで、伝熱管内を通過する冷媒の熱エネルギーをフィンを介してフィン近傍の空気に供給している。
【０００３】
図３は、従来の熱交換器を示すもので、熱交換器１１はフィン１２と伝熱管１３から構成されている。
【特許文献１】特開平１−２８４９４号公報
【発明の開示】
【発明が解決しようとする課題】
【０００４】
しかしながら、前記従来の構成では熱交換器を蒸発器として使用した場合、空気が熱交換器を通過する際に凝縮された凝縮水が熱交換器底部のフィンとフィンの間に溜まり易くなるために、フィンと空気との熱交換量が他の箇所に比べて少なくなり、蒸発能力が減少するという課題を有していた。
【０００５】
本発明は、前記従来の課題を解決するもので、熱交換器底部での凝縮水の保有量を低減する熱交換器を提供することを目的とする。
【課題を解決するための手段】
【０００６】
前記従来の課題を解決するために、本発明の熱交換器は、フィンを空気の流れ方向に分割し、下部側の前記フィンの間隔と前記フィンの幅を上部側の前記フィンより大きくしたものである。これによって、前記熱交換器を蒸発器として使用した場合、前記フィンの間隔が大きくなったため、前記熱交換器底部での凝縮水保有量の低減ができるため蒸発能力向上が可能となる。さらに、前記フィン幅を大きくしたことで、前記フィンの総面積が前記フィンの間隔を大きくする以前と同等にできるため、前記熱交換器を凝縮器として使用した場合の凝縮能力を維持できる。
【０００７】
また、本発明の熱交換器は、空気の流れ方向に分割した前記フィンの間に排水手段を設けたものである。これによって、分割した前記フィンの上部側で凝縮した凝縮水を前記熱交換器底部に流れ込まないために、前記熱交換器底部での凝縮水保有量の大幅な低減による蒸発能力向上ができるだけでなく、下部側の前記フィンの間隔や前記フィンの幅の設計自由度が広がる。
【発明の効果】
【０００８】
本発明の熱交換器は凝縮水が熱交換器底部のフィンとフィンの間に溜まる量を低減できるために蒸発能力向上が可能となる。
【発明を実施するための最良の形態】
【０００９】
第１の発明はフィンを外部流体の流れ方向に分割し、下部側のフィン間隔とフィン幅を上部より大きくしたことにより、熱交換器を蒸発器として使用した場合、フィン間隔が大きくなったため、熱交換器底部での凝縮水保有量が減少するため蒸発能力向上とフィン部の通過面積が増大し、送風機の消費電力の低減ができる。さらに、フィン幅を大きくしたことで、フィンの総面積がフィン間隔を大きくする以前と同等にできるため、熱交換器を
凝縮器として使用した場合の凝縮能力を維持できる。
【００１０】
第２の発明は、特に、第１の発明の熱交換器は空気の流れ方向に分割した前記フィンの間に排水手段を設けたことにより、分割した前記フィンの上部側で凝縮した凝縮水を熱交換器底部に流れ込まないために、熱交換器底部での凝縮水保有量の大幅な減少による蒸発能力向上ができるだけでなく、下部側の前記フィンの間隔や前記フィンの幅の設計自由度が広がる。さらに、排水手段の形状を変えることで、風向変更板としての働きも可能となるため、熱交換器での風切り音低減ができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における熱交換器の斜視図を示すものである。図１において、熱交換器１１は空気の流れ方向に流れ方向に分割した上部側のフィン１２ａと、フィン間隔とフィン幅を上部より大きくした下部側のフィン１２ｂと、フィン１２ａとフィン１２ｂに直交するように貫通させた伝熱管１３から構成されている。
【００１３】
以上のように構成された熱交換器について、以下その動作、作用を説明する。まず、フィン１２ａとフィン１２ｂに伝熱管を貫通させることで、伝熱管１３内を通過する冷媒の熱エネルギーをフィン１２ａとフィン１２ｂ介してフィン１２ａとフィン１２ｂ近傍の空気に供給している。
【００１４】
以上のように、本実施の形態においては熱交換器１１の底部のフィン１２ｂをフィン１２ａよりフィン間隔を大きくし、かつ、フィン幅を大きくすることにより、熱交換器１１を蒸発器として使用した場合、フィン１２ｂ底部での凝縮水保有量が減少し、フィン１２ｂと空気との熱交換量がアップするため蒸発能力向上が可能となる。さらに、フィン１２ｂの総面積がフィン間隔を大きくする以前と同等にできるため、熱交換器を凝縮器として使用した場合の凝縮能力を維持できる。
【００１５】
（実施の形態２）
図２は、本発明の第２の実施の形態の熱交換器の斜視図である。図２において、熱交換器１１は空気の流れ方向に流れ方向に分割した上部側のフィン１２ａと、フィン間隔とフィン幅を上部より大きくした下部側のフィン１２ｂと、フィン１２ａとフィン１２ｂに直交するように貫通させた伝熱管１３と、フィン１２ａとフィン１２ｂの間に設置された排水手段１４から構成されている。
【００１６】
以上のように構成された熱交換器について、以下その動作、作用を説明する。まず、フィン１２ａとフィン１２ｂに伝熱管を貫通させることで、伝熱管１３内を通過する冷媒の熱エネルギーをフィン１２ａとフィン１２ｂ介してフィン１２ａとフィン１２ｂ近傍の空気に供給している。
【００１７】
以上のように、本実施の形態においては空気の流れ方向に分割したフィン１２ａと１２ｂの間に排水手段１４を設けたことにより、フィン１２ａで凝縮した凝縮水は排水手段１４に導かれて排水されるため、フィン１２ａで凝縮した凝縮水がフィン１２ｂに流れ込まないために、熱交換器底部での凝縮水保有量の大幅な減少による蒸発能力向上ができるだけでなく、フィン１２ｂの間隔やフィン１２ｂの幅の設計自由度が広がる。
【産業上の利用可能性】
【００１８】
以上のように、本発明にかかる熱交換器は、熱交換器底部での凝縮水の保有量が低減で
きるために蒸発能力の向上が可能となるので、空気調和機等の用途にも適用できる。
【図面の簡単な説明】
【００１９】
【図１】本発明の実施の形態１における熱交換器の斜視図
【図２】本発明の実施の形態２における熱交換器の斜視図
【図３】従来の熱交換器の斜視図
【符号の説明】
【００２０】
１２、１２ａ、１２ｂ  フィン
１３  伝熱管
１４  排水手段
【図１】
2005201466.tif 000003
【図２】
2005201466.tif 000004
【図３】
2005201466.tif 000005